(57)【要約】  【課題】  発光素子アレイの色純度を向上させた上で、簡単に製造可能とする。  【解決手段】  互いに異なる波長領域に有って、かつその波長領域の端部が互いに重なっている発光スペクトルをそれぞれ有する複数種類の発光素子20が、例えば赤色ライン状発光素子アレイ６Ｒ、緑色ライン状発光素子アレイ６Ｇおよび青色ライン状発光素子アレイ６Ｂを構成するように並設されてなる発光素子アレイにおいて、上記重なっている波長領域の少なくとも一部の範囲を減衰波長領域とする光学フィルター９を、複数種類の発光素子20から出射した光２の光路に共通に挿入する。【選択図】          図４
2005329643.tif 000002
【特許請求の範囲】
【請求項１】
互いに異なる波長領域に有って、かつその波長領域の端部が互いに重なっている発光スペクトルをそれぞれ有する複数種類の発光素子が並設されてなるカラー発光素子アレイにおいて、
前記重なっている波長領域の少なくとも一部の範囲を減衰波長領域とする光学フィルターが、前記複数種類の発光素子から出射した光の光路に共通に挿入されていることを特徴とするカラー発光素子アレイ。
【請求項２】
前記光学フィルターが、発光素子の全数に対して共通に１つだけ設けられていることを特徴とする請求項１記載のカラー発光素子アレイ。
【請求項３】
前記光学フィルターが、誘電体多層膜からなるものであることを特徴とする請求項１または２記載のカラー発光素子アレイ。
【請求項４】
前記複数種類の発光素子が、有機ＥＬ発光素子であることを特徴とする請求項１から３いずれか１項記載のカラー発光素子アレイ。
【請求項５】
前記複数種類の有機ＥＬ発光素子が、それぞれ赤、緑および青の波長領域の光を発する３種類の有機ＥＬ発光素子であることを特徴とする請求項４項記載のカラー発光素子アレイ。
【請求項６】
互いに異なる波長領域に有る発光スペクトルをそれぞれ有する複数種類の発光素子が並設されてなるカラー発光素子アレイと、
このカラー発光素子アレイを画像データに基づいて駆動する手段と、
前記複数の発光スペクトルに各々対応する分光感度をそれぞれ有する複数のカラー感光層を有し、１つのカラー感光層の分光感度域の端部に、該分光感度域と隣合う分光感度域に対応する前記発光スペクトルの端部が重なっているカラー感光材料を保持する手段と、
前記カラー発光素子アレイが発する光による像を前記カラー感光材料の上に結像させる結像レンズとからなる露光装置において、
前記分光感度域の端部と発光スペクトルの端部とが重なっている波長領域の少なくとも一部の範囲を減衰波長領域とする光学フィルターが、前記複数種類の発光素子から出射した光の光路に共通に挿入されていることを特徴とする露光装置。
【請求項７】
前記カラー感光材料が、本来Ｘ色光で露光されるＸ感光層と、本来Ｘ色光とは異なるＹ色光で露光されるＹ感光層とを有するものである場合、
前記光学フィルターが使用されないときにＸ色光がＸ感光層を感光させるエネルギーに対する、Ｘ色光がＹ感光層を感光させるエネルギーの比をΓ（Ｘ→Ｙ）とし、前記光学フィルターが使用されたときにＸ色光がＸ感光層を感光させるエネルギーに対する、Ｘ色光がＹ感光層を感光させるエネルギーの比をΓ’（Ｘ→Ｙ）としたとき、Γ’（Ｘ→Ｙ）＜Γ（Ｘ→Ｙ）の関係が満たされていることを特徴とする請求項６記載の露光装置。
【発明の詳細な説明】
【技術分野】
【０００１】
本発明は、互いに異なる色の光を発する複数種類の発光素子が並設されてなるカラー発光素子アレイに関するものである。
【０００２】
また本発明は、上述のようなカラー発光素子アレイを用いてカラー感光材料を露光させる露光装置に関するものである。
【背景技術】
【０００３】
従来、例えば特許文献１に示されるように、赤、緑および青等の互いに異なる波長領域の光を発する複数種類の有機ＥＬ（エレクトロルミネッセンス）発光素子が並設されてなるカラーの有機ＥＬパネルが公知となっている。
【０００４】
この有機ＥＬパネルの多くはパッシブマトリクス駆動型のものとして構成され、その場合は、複数の陽極と、該陽極を横切って延びる複数の陰極とが、互いの交差部分がマトリクス状に配列する状態に向き合わせて配置され、これらの電極の交差部分毎に有機ＥＬ発光素子が形成されてなる。すなわち１つの有機ＥＬ発光素子は基本的に、互いに向き合う上記陽極および陰極と、これらの電極間に配された、発光層を含む有機化合物層とから構成される。この有機ＥＬ発光素子において、陽極および陰極を介して有機化合物層に電流が流されると、上記発光層がその組成に応じた固有の波長の光を発する。
【０００５】
このような有機ＥＬパネルを用いれば、フルカラーの画像を表示する表示装置を構成することができる。
【０００６】
またこの種の有機ＥＬパネルは、表示装置を構成する他、例えば特許文献２に示されるように、カラー感光材料を露光させる露光装置を構成するために使用することも考えられている。この特許文献２に示される露光装置は、有機ＥＬパネルの一方向に並ぶ複数の有機ＥＬ発光素子により主走査を行うとともに、この方向と略直角な方向に有機ＥＬパネルと感光材料とを相対移動させて副走査を行うように構成されたものである。また、有機ＥＬ発光素子が主走査方向および副走査方向に２次元状に並設されてなる有機ＥＬパネルを用いれば、有機ＥＬパネルと感光材料との相対移動を行わずに、該感光材料に２次元画像を露光することもできる。
【０００７】
ところで、現在提供されているカラーの有機ＥＬ発光素子は発光スペクトルがブロードで、赤、緑および青等の互いに異なる波長領域の光を発するものにおいては、その波長領域の端部が互いに重なった状態となっている。この点を具体例を挙げて詳しく説明すると、例えば緑色光を発する有機ＥＬ発光素子と青色光を発する有機ＥＬ発光素子とが用いられている場合、そのどちらの素子が駆動されても、緑色光あるいは青色光に混じって青緑色の光が発せられることになる。そのため、このカラーの有機ＥＬ発光素子からなる有機ＥＬパネルを表示装置に適用した場合は、色純度が低く、表示画像の彩度が低いものとなってしまう。
【０００８】
また、そのような有機ＥＬパネルからカラー画像を露光する露光装置を構成した場合は、露光画像に混色が発生してしまう。つまり上記具体例に挙げた有機ＥＬパネルが、青緑領域に感度を有するポジ型カラー感光材料の露光用に用いられたとすると、緑色に発色させるように緑色光が照射されても、それに混じっている青緑色の光によって青色が発色したり、あるいはそれと反対に、青色に発色させるように青色光が照射されても、それに混じっている青緑色の光によって緑色が発色したりすることがある。これは、有機ＥＬ発光素子の発光スペクトルがブロードであるため、緑色発光素子の発光スペクトル端部が青色感光層の分光感度域端部と重なっていたり、反対に青色発光素子の発光スペクトル端部が緑色感光層の分光感度域端部と重なっていることに起因する。
【０００９】
そこで従来、有機ＥＬ発光素子の色純度を向上させる提案が種々なされている。例えば上記特許文献１には、各有機ＥＬ発光素子から発せられる光の光路にカラーフィルターを設けて色純度を向上させる技術が示されている。また引用文献３には、各有機ＥＬ発光素子から発せられた光を色変換層に通して、色純度の高い別の所望色の光に変換する技術が示されている。さらには、上記のカラーフィルターと色変換層とを併せて用いることも提案されている。
【特許文献１】特開平８−３２１３８０号公報
【特許文献２】特開２００１−３５６４２２号公報
【特許文献３】特開２００３−１８７９７５号公報
【発明の開示】
【発明が解決しようとする課題】
【００１０】
しかし、上記のカラーフィルターを設ける場合は、１画素となる１つの有機ＥＬ発光素子毎に各色のカラーフィルターを分画して形成するために複雑なフォトリソ工程を要し、そのため生産歩留まりが低く、有機ＥＬパネルのコストが高くついてしまうという問題が認められる。またこの場合、有機ＥＬパネルのガラスの表面側（有機ＥＬ発光素子形成側と反対側の面）にカラーフィルターを形成すると、そのガラスの厚み分だけ光が進んで拡がった状態のところにカラーフィルターが位置することになるので、所定色のカラーフィルターに所定色の光のみを入射させるために各有機ＥＬ発光素子を互いにある程度離して配置する必要が生じ、そのために有機ＥＬパネルの画素密度が低下する。一方、有機ＥＬパネルのガラスの裏面側（有機ＥＬ発光素子形成側の面）にカラーフィルターを形成すると、通常ＩＴＯからなる有機ＥＬ発光素子の透明電極とカラーフィルターとが接することになるので、カラーフィルターの有機色素が透明電極へ拡散し、そのために、有機ＥＬ発光素子の特性劣化や素子寿命の低下、さらには生産歩留まりの低下といった問題が生じることがある。
【００１１】
また上記色変換層から発せられる所望色の蛍光も、発光スペクトルがブロードなものとなっているので、この色変換層を設けても、色純度を十分に高めることは困難となっている。
【００１２】
また、カラーフィルターと色変換層とを併せて用いる場合も、各々を単独で用いる場合と同様の問題が生じ、色純度を十分に高めることは困難となっている。
【００１３】
以上、カラー有機ＥＬパネルにおける問題について説明したが、発光スペクトルがブロードな発光素子を用いるカラー発光素子アレイにおいては、当然、同様の問題が発生し得る。さらに、有機ＥＬ発光素子等の自己発光型の発光素子に限らず、液晶やＰＬＺＴ等の調光素子と光源との組み合わせからなる素子を用いたカラー発光素子アレイにおいても、素子から発せられる光のスペクトルがブロードになっていれば、同様の問題が発生し得る。なお本明細書においては、上述の調光素子と光源との組み合わせからなる素子も、「発光素子」に含むものとする。
【００１４】
本発明は上記の事情に鑑みて、色純度が十分に高く、そして製造も容易なカラー発光素子アレイを提供することを目的とする。
【００１５】
また本発明は、カラー発光素子アレイを用いる露光装置において、露光画像の混色を防止することを目的とする。
【課題を解決するための手段】
【００１６】
本発明によるカラー発光素子アレイは、前述したようなブロードな発光スペクトル、つまり、互いに異なる波長領域に有って、かつその波長領域の端部が互いに重なっている発光スペクトルをそれぞれ有する複数種類の発光素子が並設されてなるカラー発光素子アレイにおいて、上記重なっている波長領域の少なくとも一部の範囲を減衰波長領域とする光学フィルターが、上記複数種類の発光素子から出射した光の光路に共通に挿入されていることを特徴とするものである。
【００１７】
なお上記光学フィルターは、発光素子の全数に対して共通に１つだけ設けられことが装置構成を簡素化する上で望ましいが、それに限らず、例えば発光素子の半数に対して共通に１つずつ、合計２つ設けるようなことも可能である。
【００１８】
また、上記減衰波長領域の「減衰」とは、必ずしも透過率０％ということではなく、その波長領域の光が画像表示や露光に実質的に関わらない程度まで減衰することを意味するもので、一般的には透過率０〜５０％程度であればよい。そのような特性を持つ光学フィルターとしては、例えば誘電体多層膜からなるものを好適に用いることができる。
【００１９】
また本発明は、上記複数種類の発光素子が有機ＥＬ発光素子、特に好ましくは、それぞれ赤、緑および青の波長領域の光を発する３種類の有機ＥＬ発光素子である有機ＥＬパネルに適用されることが望ましい。
【００２０】
一方、本発明による露光装置は、発光スペクトルがブロードな発光素子複数からなるカラー発光素子アレイを用いたときに混色を起こす可能性が有るカラー感光材料を用いても、上記と同様の光学フィルターによって混色の発生を防止できるようにしたものであり、より具体的には、
互いに異なる波長領域に有る発光スペクトルをそれぞれ有する複数種類の発光素子が並設されてなるカラー発光素子アレイと、
このカラー発光素子アレイを画像データに基づいて駆動する手段と、
混色を起こす可能性の有る感光材料すなわち、上記複数の発光スペクトルに各々対応する分光感度をそれぞれ有する複数のカラー感光層を有し、１つのカラー感光層の分光感度域の端部に、該分光感度域と隣合う分光感度域に対応する上記発光スペクトルの端部が重なっているカラー感光材料を保持する手段と、
上記カラー発光素子アレイが発する光による像を上記カラー感光材料の上に結像させる結像レンズとからなる露光装置において、
上記分光感度域の端部と発光スペクトルの端部とが重なっている波長領域の少なくとも一部の範囲を減衰波長領域とする光学フィルターが、前記複数種類の発光素子から出射した光の光路に共通に挿入されていることを特徴とするものである。
【発明の効果】
【００２１】
本発明によるカラー発光素子アレイは、複数種類の発光素子の間で重なっている波長領域の少なくとも一部の範囲を減衰波長領域とする光学フィルターが、該複数種類の発光素子から出射した光の光路に共通に挿入されたことにより、この重なっている波長領域の光を該光学フィルターでカットできるようになる。つまり前述の例で説明すれば、緑色光あるいは青色光に混じっている青緑色の光を、この光学フィルターでカット可能となる。それにより本発明のカラー発光素子アレイにおいては、色純度が十分に高められるようになる。
【００２２】
そして上記光学フィルターは、前述したカラーフィルターのように１画素単位で分画されるものではなく、各色の光に対して共通に設けられるものであって、複雑なフォトリソ工程等の製造工程を必要としないものであるから、本発明によるカラー発光素子アレイは構成が簡単で、低コストで製造可能となる。
【００２３】
また、１画素単位で分画される上述のカラーフィルターを用いる場合は、その分画が、画素間隔を狭める制約となっていたが、上記光学フィルターを用いる場合はそのような制約が無くなるので、画素間隔をより小さくして、高精細の画像を表示あるいは露光することが可能になる。
【００２４】
他方、本発明による露光装置は、１つのカラー感光層の分光感度域の端部と、該分光感度域と隣合う分光感度域に対応する発光素子の発光スペクトルの端部が重なっている波長領域の少なくとも一部の範囲を減衰波長領域とする光学フィルターが、複数種類の発光素子から出射した光の光路に共通に挿入されたことにより、この波長領域にあって混色を発生させる光を該光学フィルターでカットできるようになる。それによりこの露光装置によれば、露光画像において混色が生じることを防止可能となる。
【発明を実施するための最良の形態】
【００２５】
以下、図面を参照して本発明の実施の形態を説明する。
【００２６】
図１は、本発明の一実施形態による露光装置の一部破断正面形状を示すものであり、また図２は、この露光装置の一部破断側面形状を示している。図示の通りこの露光装置は、露光ヘッド１と、この露光ヘッド１から出射した露光光２の照射を受ける位置に保持したカラー感光材料３を、図２の矢印Ｙ方向に定速で搬送する、例えばニップローラ等の副走査手段４とを備えている。
【００２７】
上記露光ヘッド１は、有機ＥＬパネル６と、該有機ＥＬパネル６から出射した露光光２を受ける位置に配されて、この露光光２による像をカラー感光材料３の上に結像させる屈折率分布型レンズアレイ７と、このレンズアレイ７および有機ＥＬパネル６を保持する保持手段８（図２では省略）とを備えている。屈折率分布型レンズアレイ７は、微小な屈折率分布型レンズ７ａを副走査方向Ｙと直交する主走査方向（矢印Ｘ方向）に多数並設してなるアレイが、２列配設されてなるものである。
【００２８】
本実施形態の露光装置は、一例としてフルカラーネガ型銀塩写真感光材料であるカラー感光材料３にカラー画像を露光するもので、露光ヘッド１を構成する有機ＥＬパネル６は、副走査方向Ｙに並べて配設された赤色ライン状発光素子アレイ６Ｒ、緑色ライン状発光素子アレイ６Ｇおよび青色ライン状発光素子アレイ６Ｂを備えている。これらのライン状発光素子アレイ６Ｒ、６Ｇおよび６Ｂはそれぞれ、主走査方向Ｘに多数の赤色有機ＥＬ発光素子、緑色有機ＥＬ発光素子および青色有機ＥＬ発光素子が並設されてなるものである。
【００２９】
なお図１および図２では、上記発光素子の１つを代表的に有機ＥＬ発光素子20として示してある。各有機ＥＬ発光素子20は、ガラス等からなる透明基板10の上に、透明陽極21、発光層を含む有機化合物層22、および金属陰極23が順次蒸着により積層されてなるものである。そして、上記発光層として各々赤色光、緑色光および青色光を発するものが適用されることにより、それぞれ赤色有機ＥＬ発光素子、緑色有機ＥＬ発光素子および青色有機ＥＬ発光素子が形成されている。
【００３０】
ライン状発光素子アレイ６Ｒ、６Ｇおよび６Ｂは、図１に示す駆動回路30によって駆動される。すなわち駆動回路30は、走査電極となる金属陰極23を所定の周期で順次ON状態に設定する陰極ドライバと、信号電極となる透明陽極21をフルカラー画像を示す画像データＤに基づいてON状態に設定する陽極ドライバとを備えてなるものであり、ライン状発光素子アレイ６Ｒ、６Ｇおよび６Ｂをいわゆるパッシブマトリクス(passive matrix)線順次選択駆動方式により駆動する。この駆動回路30の動作は、上記画像データＤを出力する制御部31によって制御される。
【００３１】
各有機ＥＬ発光素子20を構成する要素は、例えばステンレス製の缶等からなる封止部材25内に配置されている。つまり、この封止部材25の縁部と透明基板10とが接着され、乾燥窒素ガスが充填された封止部材25内に有機ＥＬ発光素子20が封止されている。
【００３２】
上記構成の有機ＥＬ発光素子20において、金属陰極23と、それを横切るように延びる透明陽極21との間に所定電圧が印加されると、電圧が印加された両電極の交差部分毎に有機化合物層22に電流が流れ、そこに含まれる発光層が発光する。この発光光は透明陽極21および透明基板10を透過して、露光光２として素子外に出射する。なお透明基板10の下面には１枚の光学フィルター９が貼着され、ライン状発光素子アレイ６Ｒ、６Ｇおよび６Ｂからの露光光２は全てこの光学フィルター９も透過して出射するが、該光学フィルター９については後に詳述する。
【００３３】
ここで透明陽極21は、４００ｎｍ〜７００ｎｍの可視光の波長領域において、少なくとも５０パーセント以上、好ましくは７０パーセント以上の光透過率を有するものが好ましい。透明陽極21の材料としては、酸化錫、酸化錫インジウム（ＩＴＯ）、酸化亜鉛インジウム等、透明電極材料として従来公知の化合物を適宜用いることができるが、その他、金や白金など仕事関数が大きい金属からなる薄膜を用いてもよい。また、ポリアニリン、ポリチオフェン、ポリピロールまたはこれらの誘導体などの有機化合物を用いることもできる。なお、沢田豊監修「透明導電膜の新展開」シーエムシー社刊（１９９９年）には、透明導電膜について詳細な記載があり、そこに示されているものを本発明に適用することも可能である。また透明陽極21は、真空蒸着法、スパッタリング法、イオンプレーティング法などによって透明基板10上に形成することができる。
【００３４】
一方、有機化合物層22は、発光層のみからなる単層構造であってもよいし、発光層の他に、ホール注入層、ホール輸送層、電子注入層、電子輸送層等のその他の層を適宜有する積層構造であってもよい。有機化合物層22および電極の具体的な層構成としては、陽極／ホール注入層／ホール輸送層／発光層／電子輸送層／陰極とする構成や、陽極／発光層／電子輸送層／陰極、陽極／ホール輸送層／発光層／電子輸送層／陰極とする構成等が挙げられる。また、発光層、ホール輸送層、ホール注入層、電子注入層は、それぞれ複数設けられてもよい。
【００３５】
金属陰極23は、仕事関数の低いＬｉ、Ｋなどのアルカリ金属、Ｍｇ、Ｃａなどのアルカリ土類金属、およびこれらの金属とＡｇやＡｌなどとの合金や混合物等の金属材料から形成されるのが好ましい。陰極における保存安定性と電子注入性とを両立させるために、上記材料で形成した電極を、仕事関数が大きく導電性の高いＡｇ、Ａｌ、Ａｕなどで更に被覆してもよい。なお、金属陰極23も透明陽極21と同様に、真空蒸着法、スパッタ法、イオンプレーティング法などの公知の方法で形成することができる。
【００３６】
以下、上記構成を有する露光装置の作動について説明する。なおここでは、ライン状発光素子アレイ６Ｒ、６Ｇおよび６Ｂの主走査方向画素数、つまり透明陽極21の並設数をｎとする。カラー感光材料３に画像露光する際、このカラー感光材料３は副走査手段４によって矢印Ｙ方向に定速で搬送される。またこのカラー感光材料３の搬送と同期させて、前述した駆動回路30の陰極ドライバにより、３本の金属陰極23の中の１つが順次ON状態に選択される。
【００３７】
このようにして第１番目の金属陰極23、つまり赤色ライン状発光素子アレイ６Ｒを構成する金属陰極23が選択されている期間内に、駆動回路30の陽極ドライバは第１，２，３・・・ｎの各透明陽極21を、第１主走査ラインの第１，２，３・・・ｎ番目の画素の赤色濃度を示す画像データに対応した時間、定電流源に接続する。それにより該透明陽極21と金属陰極23との間の有機化合物層22（図１参照）に、画像データに対応したパルス幅の電流が流れ、該有機化合物層22から赤色光が発せられる。
【００３８】
こうして赤色ライン状発光素子アレイ６Ｒから発せられた赤色光である露光光２は、レンズアレイ７によってカラー感光材料３上に集光され、それにより、カラー感光材料３上において第１主走査ラインを構成する第１，２，３・・・ｎ番目の画素が赤色光で露光される。
【００３９】
次に第２番目の金属陰極23、つまり緑色ライン状発光素子アレイ６Ｇを構成する金属陰極23が選択されている期間内に、駆動回路30の陽極ドライバは第１，２，３・・・ｎの各透明陽極21を、第１主走査ラインの第１，２，３・・・ｎ番目の画素の緑色濃度を示す画像データに対応した時間、定電流源に接続する。それにより該透明陽極21と金属陰極23との間の有機化合物層22に、画像データに対応したパルス幅の電流が流れ、該有機化合物層22から緑色光が発せられる。
【００４０】
こうして緑色ライン状発光素子アレイ６Ｇから発せられた緑色光である露光光２は、レンズアレイ７によってカラー感光材料３上に集光され、それにより、カラー感光材料３上において第１主走査ラインを構成する第１，２，３・・・ｎ番目の画素が緑色光で露光される。なお、カラー感光材料３が前述のように定速搬送されているので、上記緑色光は、該カラー感光材料３の既に赤色光で露光されている部分の上に照射される。
【００４１】
次に第３番目の金属陰極23、つまり青色ライン状発光素子アレイ６Ｂを構成する金属陰極23が選択されている期間内に、駆動回路30の陽極ドライバは第１，２，３・・・ｎの各透明陽極21を、第１主走査ラインの第１，２，３・・・ｎ番目の画素の青色濃度を示す画像データに対応した時間、定電流源に接続する。それにより該透明陽極21と金属陰極23との間の有機化合物層22に、画像データに対応したパルス幅の電流が流れ、該有機化合物層22から青色光が発せられる。
【００４２】
こうして青色ライン状発光素子アレイ６Ｂから発せられた青色光である露光光２は、レンズアレイ７によってカラー感光材料３上に集光され、それにより、カラー感光材料３上において第１主走査ラインを構成する第１，２，３・・・ｎ番目の画素が青色光で露光される。なお、カラー感光材料３が前述のように定速搬送されているので、上記青色光は、該カラー感光材料３の既に赤色光および緑色光で露光されている部分の上に照射される。以上の工程により、カラー感光材料３の上には、第１番目のフルカラーの主走査ラインが露光、記録される。
【００４３】
次いで金属陰極の線順次選択は第１番目の金属陰極23に戻り、該第１番目の金属陰極23、つまり赤色ライン状発光素子アレイ６Ｒを構成する金属陰極23が選択されている期間内に、駆動回路30の陽極ドライバは第１，２，３・・・ｎの各透明陽極21を、第２主走査ラインの第１，２，３・・・ｎ番目の画素の赤色濃度を示す画像データに対応した時間、定電流源に接続する。それにより該透明陽極21と金属陰極23との間の有機化合物層22に、画像データに対応したパルス幅の電流が流れ、該有機化合物層22から赤色光が発せられる。
【００４４】
こうして赤色ライン状発光素子アレイ６Ｒから発せられた赤色光である露光光２は、レンズアレイ７によってカラー感光材料３上に集光され、それにより、カラー感光材料３上において第２主走査ラインを構成する第１，２，３・・・ｎ番目の画素が赤色光で露光される。
【００４５】
以下は同様の操作が繰り返されて第２番目のフルカラーの主走査ラインが露光され、さらにそのようなカラー主走査ラインが副走査方向Ｙに次々と並べて露光され、カラー感光材料３上に多数の主走査ラインからなる２次元カラー画像が露光される。なお本実施形態では、上述した通り各色露光光がパルス幅変調されて、それらの発光量が画像データに対応して制御され、それによりカラーの階調画像が露光される。
【００４６】
次に、光学フィルター９について詳しく説明する。先に説明した通り、ライン状発光素子アレイ６Ｒ、６Ｇおよび６Ｂを構成する有機ＥＬ発光素子20の発光スペクトルはブロードなもので、各発光波長領域の端部は互いに重なっている。またカラー感光材料３の赤感光層、緑感光層および青感光層は、上記各発光波長領域に対応した分光感度域を各々有しているが、１つの感光層（例えば青感光層）の分光感度域の端部に、該分光感度域と隣合う分光感度域（緑感光層の分光感度域）に対応する発光スペクトル（緑色光の発光スペクトル）の端部が重なった状態となっている。したがって、ライン状発光素子アレイ６Ｒ、６Ｇおよび６Ｂから発せられた赤色光、緑色光および青色光をそのままカラー感光材料３に照射すると、先に詳しく説明した混色が発生し得る。
【００４７】
そこで、この混色の発生を防止するために、有機ＥＬパネル６に光学フィルター９が設けられている。この光学フィルター９は、ガラス等の薄板状透明基板の表面（透明基板10側の表面）にフィルター作用を果たす誘電体多層膜が形成されてなるものである。この光学フィルター９は、図３に平面形状を示すように、ライン状発光素子アレイ６Ｒ、６Ｇおよび６Ｂの全ての有機ＥＬ発光素子20から出射した露光光２が通過し得るだけの広さに形成されている。また上記誘電体多層膜は、例えばＴｉＯ2／ＳｉＯ2の交互積層構造を有し、総計２０〜３０層からなるものとされている。
【００４８】
この光学フィルター９の透過スペクトルを、図４において曲線Ｆで示す。併せてこの図４には、ライン状発光素子アレイ６Ｒ、６Ｇおよび６Ｂの各発光スペクトルを曲線ＲＥ、ＧＥおよびＢＥで示し、またカラー感光材料３の赤感光層、緑感光層および青感光層の分光感度特性を曲線ＲＬ、ＧＬおよびＢＬで示してある。
【００４９】
つまりこの光学フィルター９は、赤感光層の分光感度域と緑色光の発光スペクトルとが重なり、かつ緑感光層の分光感度域と赤色光の発光スペクトルとが重なっている波長領域の一部（６００ｎｍ近辺）に第１の減衰波長領域を有し、また緑感光層の分光感度域と青色光の発光スペクトルとが重なり、かつ青感光層の分光感度域と緑色光の発光スペクトルとが重なっている波長領域の一部（５００ｎｍ近辺）に第２の減衰波長領域を有するものである。なお、この「減衰」という用語が意味するところは、先に詳しく説明した通りである。
【００５０】
このような光学フィルター９が設けられていることにより、赤色ライン状発光素子アレイ６Ｒから発せられて緑感光層を感光させ得る光、緑色ライン状発光素子アレイ６Ｇから発せられて赤感光層あるいは青感光層を感光させ得る光、そして青色ライン状発光素子アレイ６Ｂから発せられて緑感光層を感光させ得る光が大部分カットされ、そこで、カラー感光材料３において混色が発生することが防止される。
【００５１】
以下、この混色発生防止の効果について、より具体的に説明する。ここで、Ｘ，ＹをそれぞれＲ（赤）、Ｇ（緑）、Ｂ（青）のうちの一つとし、Ｘ色光が本来露光すべきＸ感光層を感光させるエネルギーに対する、Ｘ色光がＹ感光層を感光させるエネルギーの比を露光エネルギー比Γ（Ｘ→Ｙ）として定義する。つまり、ＸＥをＸ色光の発光スペクトル（発光強度の波長λについての関数）、ＸＬおよびＹＬをそれぞれＸ感光層およびＹ感光層の分光感度特性（感度の波長λについての関数）とし、また光の波長をλとして、
Γ（Ｘ→Ｙ）＝∫ＸＥ・ＹＬｄλ／∫ＸＥ・ＸＬｄλ
である。したがってΓ（Ｘ→Ｘ）＝１である。また、上述のような光学フィルター９を用いる場合は、該フィルターの透過スペクトル（透過率の波長λについての関数）をＦとして、上式を
Γ（Ｘ→Ｙ）＝∫ＸＥ・ＹＬ・Ｆｄλ／∫ＸＥ・ＸＬ・Ｆｄλ
と修正して使えばよい。
【００５２】
上述のように、光学フィルター使用の場合に修正した露光エネルギー比をΓ’（Ｘ→Ｙ）と示すと、Γ’（Ｘ→Ｙ）＜Γ（Ｘ→Ｙ）であれば、光学フィルターによる混色発生防止の効果が得られていることになる。
【００５３】
このような露光エネルギー比Γ（Ｘ→Ｙ）を考えたとき、各色光および各感光層の組合せ毎の露光エネルギー比Γは、理想的には下の表１の通りとなる。なおこの表１では、Ｘ、Ｙを具体的にＲ（赤）、Ｇ（緑）、Ｂ（青）で示してあり、例えばＢＥ行、ＧＬ列に示してある数値が、青色光と緑感光層との間の露光エネルギー比を示す。
【表１】
2005329643.tif 000003
【００５４】
そして本実施形態の露光装置における露光エネルギー比を実際に測定したところ、下の表２の通りとなった。
【表２】
2005329643.tif 000004
【００５５】
それに対して、有機ＥＬパネル６を省いた以外は本実施形態のものと同じ構成とした露光装置における露光エネルギー比を測定したところ、下の表３の通りとなった。
【表３】
2005329643.tif 000005
【００５６】
上記の表２と表３とを比較すれば、本発明により顕著な混色防止効果が得られていることが明らかである。
【００５７】
図５には、ネガ型カラー感光材料において混色が発生する仕組みを分かり易く説明する。ここでは、一例としてＢ色光でネガ型カラー感光材料を露光する場合について考えており、曲線ＢＬ（Ｙ）はＢ色光に感光してイエローに発色する感光層の露光エネルギー対露光濃度特性を示し、またＧＬ（Ｍ）およびＲＬ（Ｃ）はそれぞれ、その他のマゼンタに発色する感光層（本来はＧ色光に感光する層）、シアンに発色する感光層（本来はＲ色光に感光する層）の同特性を示している。ただし、Ｂ色発光素子の発光スペクトルは裾引きを有するものとし、また露光エネルギー比Γ（Ｂ→Ｇ）、Γ（Ｂ→Ｒ）はそれぞれ上述した通り、Ｂ感光層を感光させるエネルギーに対するＧ感光層を感光させるエネルギーの比、Ｂ感光層を感光させるエネルギーに対するＲ感光層を感光させるエネルギーの比である。
【００５８】
この場合、露光エネルギー比Γ（Ｂ→Ｇ）あるいはΓ（Ｂ→Ｒ）が、感光材料のダイナミックレンジＡより大きくなると、混色の問題が発生する。すなわち、例えばダイナミックレンジが１．５桁（Ａ＝１．５）の場合は、露光エネルギー比Γ（Ｂ→Ｇ）あるいはΓ（Ｂ→Ｒ）が０．０３以下なら混色は発生しないことになる。
【００５９】
また、上記の効果を奏する光学フィルター９は、前述したカラーフィルターのように１画素単位で分画されるものではなく、各色の光に対して共通に設けられるものであって、複雑なフォトリソ工程等の製造工程を必要としないものであるから、有機ＥＬパネル６は構成が簡単で、低コストで簡単に製造可能となる。またその結果、該有機ＥＬパネル６を用いる本実施形態の露光装置も、低コストで製造可能となる。
【００６０】
なお、本発明において設けられる光学フィルターは、上記光学フィルター９のような形態とする他、ＩＴＯからなる透明陽極21の直下部分、透明基板10の下表面、透明基板10と離した状態でそれとレンズアレイ７との間、レンズアレイ７とカラー感光材料３との間、レンズアレイ７の光通過端面等に形成することも可能である。
【００６１】
そして、光学フィルターの誘電体多層膜を無機材料を用いて形成すれば、上述のようにＩＴＯからなる透明陽極21の直下部分に該フィルターを形成しても、前述したカラーフィルターを形成する場合のように、色素拡散によって素子特性や素子寿命に悪影響が及ぶことを回避できる。ただし本発明で使用する光学フィルターは、無機材料に限らず、ポリマー多層膜等の有機材料を用いて形成することも可能である。また、無機材料を用いる場合も、その材料は前述したＴｉＯ2、ＳｉＯ2に限られるものではなく、その他例えば、Ｔａ2Ｏ5、ＨｆＯ2等の公知の多層膜材料を適宜選択して用いることが可能である。
【００６２】
なお光学フィルター９の減衰波長領域は、赤感光層、緑感光層および青感光層の各発光スペクトルの端部が重なり合っている領域とも一部重なっているので、有機ＥＬパネル６において赤色ライン状発光素子アレイ６Ｒ、緑色ライン状発光素子アレイ６Ｇおよび青色ライン状発光素子アレイ６Ｂをさらに多数設け、そのような有機ＥＬパネルからカラー画像表示装置を構成した場合には、この光学フィルター９を設けることにより、前述した通り色純度を高める効果が得られる。
【００６３】
以上、赤色光、緑色光および青色光の３色の光を発する有機ＥＬパネルに適用された実施形態について説明したが、本発明は、その他の色の光を発する有機ＥＬパネルに適用することも可能であり、その場合にも同様の効果を奏するものである。上述のように３色の光を発する有機ＥＬパネルの場合、混色が発生し得る波長領域は２箇所存在し、上記実施形態ではそれに対応させて２つの減衰波長領域を持つ光学フィルター９が用いられているが、混色が発生し得る２箇所の波長領域のうちの一方にだけ対応させて、１つの減衰波長領域を持つ光学フィルターを用いることも可能である。
【００６４】
また上記実施形態は、有機ＥＬパネルに本発明を適用したものであるが、本発明はその他の例えばプラズマディスプレイ装置、発光ダイオードアレイ等の発光素子アレイに対しても適用可能である。そして上記実施形態は、有機ＥＬパネルとして３色独立発光方式のものを用いているが、本発明ではその他のカラーフィルター方式あるいは色変換方式の有機ＥＬパネルを用いることも可能である。
【００６５】
また本発明は、有機ＥＬ発光素子等の自己発光型の発光素子に限らず、液晶やＰＬＺＴ等の調光素子と光源との組み合わせからなる素子を用いたカラー発光素子アレイに対しても適用可能であり、その場合にも同様の効果を奏するものである。
【００６６】
さらに上記実施形態の露光装置は、フルカラーネガ型銀塩写真感光材料であるカラー感光材料３に画像露光するものであるが、本発明の露光装置は、それ以外のカラー感光材料に画像露光するものとして形成することも可能である。
【図面の簡単な説明】
【００６７】
【図１】本発明の一実施形態による露光装置の一部破断正面図
【図２】上記露光装置の一部破断側面図
【図３】上記露光装置の一部を示す平面図
【図４】上記露光装置に用いられた有機ＥＬ発光素子の発光スペクトル、カラー感光材料の分光感度特性および光学フィルターの透過特性を示すグラフ
【図５】カラー感光材料における混色の発生を説明する図
【符号の説明】
【００６８】
１    露光ヘッド
２    露光光
３    カラー感光材料
４    副走査手段
６    有機ＥＬパネル
６Ｒ  赤色ライン状発光素子アレイ
６Ｇ  緑色ライン状発光素子アレイ
６Ｂ  青色ライン状発光素子アレイ
９    光学フィルター
20    有機ＥＬ発光素子
21    透明陽極
22    有機化合物層
23    金属陰極
30    駆動回路
31    制御部
【図１】
2005329643.tif 000006
【図２】
2005329643.tif 000007
【図３】
2005329643.tif 000008
【図４】
2005329643.tif 000009
【図５】
2005329643.tif 000010